(57)【要約】【課題】  エレベータにおいて、利用者の利便性の向上を実現し、さらに、清掃者の利便性及び清掃効率の向上も実現する。【解決手段】  移動する乗りかご内に設けられたかご入力操作部の乗りかごを移動させるための入力操作結果に基づいて乗りかごの移動を制御する移動制御手段と（Ｓ１）、乗りかごの停止階で乗りかごに設けられた開閉自在なドアを一定の開放時間だけ開放する開放手段と（Ｓ１）、かご入力操作部の開放時間を延長するための入力操作結果に基づいて（Ｓ２）、かご入力操作部の乗りかごを移動させるための入力操作結果を無効にする無効手段と（Ｓ３）、かご入力操作部の開放時間を延長するための入力操作結果に基づいて（Ｓ２）、開放時間を延長する延長手段と（Ｓ４）を備える。【選択図】    図４
2006256757.tif 000002
【特許請求の範囲】
【請求項１】
移動する乗りかご内に設けられたかご入力操作部の前記乗りかごを移動させるための入力操作結果に基づいて、前記乗りかごの移動を制御する移動制御手段と、
前記乗りかごの停止階で、前記乗りかごに設けられた開閉自在なドアを一定の開放時間だけ開放する開放手段と、
前記かご入力操作部の前記開放時間を延長するための入力操作結果に基づいて、前記開放時間を延長する延長手段と、
前記かご入力操作部の前記開放時間を延長するための入力操作結果に基づいて、前記かご入力操作部の前記乗りかごを移動させるための入力操作結果を無効にする無効手段と、
を備えることを特徴とするエレベータ制御装置。
【請求項２】
前記開放時間の延長を一定時間後に解除する延長解除手段と、
前記かご入力操作部の前記乗りかごを移動させるための入力操作結果の無効を一定時間後に解除する無効解除手段と、
を備えることを特徴とする請求項１記載のエレベータ制御装置。
【請求項３】
前記乗りかごの複数の乗場にそれぞれ設けられた複数の乗場入力操作部の前記乗りかごを呼び出すための入力操作結果に基づいて、前記開放時間の延長を解除する延長解除手段と、
前記複数の乗場入力操作部の前記乗りかごを呼び出すための入力操作結果に基づいて、前記かご入力操作部の前記乗りかごを移動させるための入力操作結果の無効を解除する無効解除手段と、
を備えることを特徴とする請求項１記載のエレベータ制御装置。
【請求項４】
前記かご入力操作部の前記開放時間を延長するための入力操作結果に基づいて、前記乗りかごの複数の乗場にそれぞれ設けられた複数の乗場報知装置に前記乗りかごが清掃中であることを報知させる報知手段を備えることを特徴とする請求項１記載のエレベータ制御装置。
【請求項５】
移動する乗りかご内に設けられたかご入力操作部の前記乗りかごを移動させるための入力操作結果に基づいて、前記乗りかごの移動を制御する移動制御ステップと、
前記乗りかごの停止階で、前記乗りかごに設けられた開閉自在なドアを一定の開放時間だけ開放する開放ステップと、
前記かご入力操作部の前記開放時間を延長するための入力操作結果に基づいて、前記開放時間を延長する延長ステップと、
前記かご入力操作部の前記開放時間を延長するための入力操作結果に基づいて、前記かご入力操作部の前記乗りかごを移動させるための入力操作結果を無効にする無効ステップと、
を有することを特徴とするエレベータ制御方法。
【請求項６】
前記開放時間の延長を一定時間後に解除する延長解除ステップと、
前記かご入力操作部の前記乗りかごを移動させるための入力操作結果の無効を一定時間後に解除する無効解除ステップと、
を有することを特徴とする請求項５記載のエレベータ制御方法。
【請求項７】
前記乗りかごの複数の乗場にそれぞれ設けられた複数の乗場入力操作部の前記乗りかごを呼び出すための入力操作結果に基づいて、前記開放時間の延長を解除する延長解除ステップと、
前記複数の乗場入力操作部の前記乗りかごを呼び出すための入力操作結果に基づいて、前記かご入力操作部の前記乗りかごを移動させるための入力操作結果の無効を解除する無効解除ステップと、
を有することを特徴とする請求項５記載のエレベータ制御方法。
【請求項８】
前記かご入力操作部の前記開放時間を延長するための入力操作結果に基づいて、前記乗りかごの複数の乗場の利用者に前記乗りかごが清掃中であることを報知する報知ステップを有することを特徴とする請求項５記載のエレベータ制御方法。
【発明の詳細な説明】
【技術分野】
【０００１】
本発明は、エレベータ制御装置及びエレベータ制御方法に関する。
【背景技術】
【０００２】
従来、エレベータは、利用者を乗せて移動する乗りかごやその乗りかごを各階に渡って昇降させる昇降部等を備えている。このエレベータは、乗りかごを昇降させて乗りかご内の利用者を希望階に搬送する装置である。
【０００３】
このようなエレベータでは、日頃の正常運転を維持するためにも、清掃や定期点検等が必要不可欠である。特に、乗りかご内の清掃は利用者の快適性からも頻繁に行う必要がある。清掃を要する箇所としては、乗りかごのドア（戸）を案内するドアシル溝、乗りかごの床及び乗りかご内に設けられたかご入力操作部等が挙げられる。特に、かご入力操作部は、不特定多数の人により触られるため、汚れやすい箇所である。このかご入力操作部には、通常、スイッチボックスが設けられている。このスイッチボックスには、鍵穴を有する蓋が開閉自在に取り付けられている。
【０００４】
清掃者は、乗りかご内を清掃する際に清掃スペース確保等のため、乗りかごのドアを開放状態にする。一般的に、清掃者は、鍵を鍵穴に挿入してスイッチボックスの蓋を開放し、その後、スイッチボックス内の戸開放延長用の専用操作スイッチを操作することで、乗りかごのドアを開放状態にする。
【０００５】
なお、乗りかごのドアを開放状態にする技術としては、かご入力操作部に設けられた開ボタンの一定時間の押下に応じて、ドアの開放時間を延長する技術が提案されている（特許文献１参照）。さらに、戸開放延長中にホール呼び登録が発生した場合、戸閉を促す報知を行う技術も提案されている（特許文献２参照）。
【特許文献１】特開平３−９５０９３号公報
【特許文献２】特開平８−２０４８１号公報
【発明の開示】
【発明が解決しようとする課題】
【０００６】
ところが、かご入力操作部を清掃する場合には、清掃者は清掃布等でかご入力操作部を清掃する。このため、かご入力操作部に設けられた複数の階床ボタンを押下してしまうことが多々あり、無駄な行先階登録が発生してしまう。これにより、清掃後の乗りかごは複数階に停止するため、利用者は乗りかごを呼び出してもその到着まで長い時間待たされてしまう。これは、利用者の利便性の低下を招いている。
【０００７】
また、かご入力操作部を清掃する場合には、清掃者は複数の階床ボタンを押下しないように注意して清掃する必要があり、加えて階床ボタンを押下しないように清掃するため、階床ボタンの汚れを取り除くことは困難である。これは、利用者の利便性及び清掃効率の低下を招いている。
【０００８】
本発明の目的は、エレベータにおいて、利用者の利便性の向上を実現し、さらに、清掃者の利便性及び清掃効率の向上も実現することである。
【課題を解決するための手段】
【０００９】
本発明の実施の形態に係る第１の特徴は、エレベータ制御装置において、移動する乗りかご内に設けられたかご入力操作部の前記乗りかごを移動させるための入力操作結果に基づいて、前記乗りかごの移動を制御する移動制御手段と、前記乗りかごの停止階で、前記乗りかごに設けられた開閉自在なドアを一定の開放時間だけ開放する開放手段と、前記かご入力操作部の前記開放時間を延長するための入力操作結果に基づいて、前記開放時間を延長する延長手段と、前記かご入力操作部の前記開放時間を延長するための入力操作結果に基づいて、前記かご入力操作部の前記乗りかごを移動させるための入力操作結果を無効にする無効手段とを備えることである。
【００１０】
本発明の実施の形態に係る第２の特徴は、エレベータ制御方法において、移動する乗りかご内に設けられたかご入力操作部の前記乗りかごを移動させるための入力操作結果に基づいて、前記乗りかごの移動を制御する移動制御ステップと、前記乗りかごの停止階で、前記乗りかごに設けられた開閉自在なドアを一定の開放時間だけ開放する開放ステップと、前記かご入力操作部の前記開放時間を延長するための入力操作結果に基づいて、前記開放時間を延長する延長ステップと、前記かご入力操作部の前記開放時間を延長するための入力操作結果に基づいて、前記かご入力操作部の前記乗りかごを移動させるための入力操作結果を無効にする無効ステップとを有することである。
【発明の効果】
【００１１】
本発明によれば、エレベータにおいて、利用者の利便性の向上を実現し、さらに、清掃者の利便性及び清掃効率の向上も実現することができる。
【発明を実施するための最良の形態】
【００１２】
＜第１の実施の形態＞
本発明の第１の実施の形態について図１ないし図４を参照して説明する。
【００１３】
図１に示すように、本実施の形態に係るエレベータ１は、開閉自在なドア２を有して各階に渡って移動する乗りかご３、その乗りかご３を昇降移動させる昇降部４、ドア２を開閉するドア開閉部５、さらに、昇降部４及びドア開閉部５を駆動制御する制御部６等を備えている。
【００１４】
乗りかご３は箱状に形成されている。この乗りかご３は昇降自在に設けられている。また、乗りかご３の乗場側には、ドア２が開閉自在に設けられている。このドア２は、乗りかご３の床面に形成されたドアシル溝（図示せず）に嵌められている。
【００１５】
昇降部４は、メインシーブ及びそのメインシーブを回転駆動させる駆動モータ（いずれも図示せず）等を備えている。メインシーブには、乗りかご３及びカウンタウェイト（つり合いおもり）に接続されたロープが巻き掛けられている。
【００１６】
この昇降部４は、制御部６からの制御信号に基づいて駆動モータを回転駆動させ、一方向にメインシーブを回転させて乗りかご３を上昇させ、また、その逆方向にメインシーブを回転させて乗りかご３を下降させる。
【００１７】
ドア開閉部５は、制御部６からの制御信号に基づいて乗りかご３の停止階でそのドア２を開閉する。このとき、ドア開閉部５は、ドア２を一定の開放時間（例えば３秒）だけ開放する開動作を行う。
【００１８】
制御部６は、各部を集中的に制御するＣＰＵ（Central Processing Unit）、ＣＰＵが実行する各種プログラム等を格納するＲＯＭ（Read Only Memory）、ＣＰＵのワークエリア等として機能するＲＡＭ（Random Access Memory）（いずれも図示せず）及び制御タイマ７等から構成されている。
【００１９】
制御部６には、乗りかご３内に設けられ入力操作を受け付けるかご入力操作部８、及び各階の乗場にそれぞれ設けられ入力操作を受け付ける複数の乗場入力操作部９が電気的に接続されている。かご入力操作部８及び乗場入力操作部９は、操作者からの入力操作に応じて制御部６にＯＮ／ＯＦＦ信号等の入力信号を入力操作結果として送信する。
【００２０】
図２に示すように、かご入力操作部８には、行先階（停止階）を指定（登録）するための複数の階床ボタン１１、乗りかご３の停止階でドア２の開放時間を所定時間（例えば２秒）延長するための開ボタン１２及びドア２を閉めるための閉ボタン１３が設けられている。複数の階床ボタン１１は各階に対応させて設けられている。なお、階床ボタン１１、開ボタン１２及び閉ボタン１３等は、利用者や清掃者等の操作者からの入力操作を受け付ける操作ボタンである。
【００２１】
さらに、かご入力操作部８には、非常時に点灯する非常報知ランプ１４、階数を示す階床インジゲータ１５や上昇中又は下降中を示す方向灯１６等を表示するかご表示装置１７、及びスイッチボックス１８等が設けられている。
【００２２】
スイッチボックス１８には、鍵穴１９を有する蓋２０が開閉自在に設けられている。その蓋２０は鍵により施錠される。スイッチボックス１８の内部には、エレベータ管理者やエレベータ保守者等の操作者からの操作を受け付ける専用操作スイッチ（例えば、照明スイッチ、換気扇スイッチ、保守作業運転スイッチ及び戸開放延長スイッチ等）が設けられている。したがって、鍵を所持するエレベータ管理者やエレベータ保守者等の操作者だけが鍵穴１９に鍵を挿入して蓋２０を開放し、専用操作スイッチを操作することができる。
【００２３】
図３に示すように、乗場入力操作部９には、上ボタン３１及び下ボタン３２が設けられている。上ボタン３１は、上の階への搬送を指示（登録）して乗りかご３を呼び出すボタンである。また、下ボタン３２は、下の階への搬送を指示して乗りかご３を呼び出すボタンである。
【００２４】
このような構成において、制御部６のＣＰＵがＲＯＭに格納されたプログラムに基づいて実行する清掃用のドア開放処理について説明する。
【００２５】
図４に示すように、ＣＰＵは通常運転処理を行っている（ステップＳ１）。通常運転処理では、ＣＰＵは、各階の乗場入力操作部９又はかご入力操作部８の入力操作結果に基づいて、乗りかご３の移動を制御し（移動制御手段又は移動制御ステップ）、乗りかご３の停止階でドア２を一定の開放時間（例えば３秒）だけ開放する（開放手段又は開放ステップ）。
【００２６】
詳述すると、ＣＰＵは、乗場入力操作部９の乗りかご３を呼び出すための入力操作結果に応じて、昇降部４により乗りかご３を呼出階に停止させ、その停止階でドア開閉部５により乗りかご３のドア２を一定の開放時間だけ開放する。さらに、ＣＰＵは、かご入力操作部８の乗りかご３を移動させるための入力操作結果に応じて、昇降部４により乗りかご３を行先階に停止させ、その停止階でドア開閉部５により乗りかご３のドア２を一定の開放時間だけ開放する。
【００２７】
ここで、乗りかご３を呼び出すための入力操作結果とは、例えば、乗りかご３を呼び出すために上ボタン３１又は下ボタン３２を押下した結果である。また、乗りかご３を移動させるための入力操作結果とは、例えば、乗りかご３の停止階を指定するために階床ボタン１１を押下した結果であり、あるいは、乗りかご３の停止階でドア２を閉じるために閉ボタン１３を押下した結果である。
【００２８】
次いで、ＣＰＵは、かご入力操作部８の開放時間を延長するための特定の入力操作結果に基づいて（ステップＳ２）、かご入力操作部８の乗りかご３を移動させるための入力操作結果を無効にし（ステップＳ３：無効手段又は無効ステップ）、ドア２の開放時間を延長する（ステップＳ４：延長手段又は延長ステップ）。ここで、例えば、特定の入力操作結果は、乗りかご３の停止階と同じ階の階床ボタン１１を所定時間（例えば３秒）以上押下したことである。
【００２９】
詳述すると、ＣＰＵは、乗りかご３の停止階でその停止階と同じ階の階床ボタン１１が操作者（例えば清掃者）によって所定時間（例えば３秒）以上押下されたか否かを判断する（ステップＳ２）。ＣＰＵは、乗りかご３の停止階と同じ階の階床ボタン１１が操作者によって所定時間以上押下されなかったと判断した場合には（ステップＳ２のＮＯ）、処理をステップＳ１に戻す。一方、ＣＰＵは、乗りかご３の停止階と同じ階の階床ボタン１１が操作者によって所定時間以上押下されたと判断した場合には（ステップＳ２のＹＥＳ）、かご入力操作部８の乗りかご３を移動させるための入力操作結果を無効、すなわち、かご入力操作部８からの入力信号を無効にし（ステップＳ３）、ドア２の開放時間を一定時間（例えば３分）延長する（ステップＳ４）。
【００３０】
次に、ＣＰＵは、各階の乗場入力操作部９の乗りかご３を呼び出すための入力操作結果又は延長した開放時間の経過に基づいて（ステップＳ５又はステップＳ６）、開放時間の延長を解除し（ステップＳ７：延長解除手段又は延長解除ステップ）、かご入力操作部８の乗りかご３を移動させるための入力操作結果の無効を解除する（ステップＳ８：無効解除手段又は無効解除ステップ）。
【００３１】
詳述すると、ＣＰＵは、各階の乗場入力操作部９の乗りかご３を呼び出すための入力操作結果があったか否か、すなわち乗場入力操作部９からの入力信号があったか否かを判断し（ステップＳ５）、さらに、延長した開放時間（例えば３分）が経過したか否かを判断し（ステップＳ６）、延長した開放時間が経過するまでステップＳ５を繰り返す（ステップＳ６のＮＯ）。このとき、開放時間の経過は制御部６の制御タイマ７により計測される。その後、ＣＰＵは、乗場入力操作部９からの入力信号があったと判断した場合（ステップＳ５のＹＥＳ）、又は、延長した開放時間が経過したと判断した場合には（ステップＳ６のＹＥＳ）、ドア２の開放時間の延長を解除、すなわちドア２を閉じ（ステップＳ７）、かご入力操作部８の乗りかご３を移動させるための入力操作結果の無効を解除、すなわち、かご入力操作部８からの入力信号を有効にし（ステップＳ８）、処理をステップＳ１に戻す。
【００３２】
ここで、清掃者は、希望階で乗場入力操作部９を入力操作して乗りかご３を呼び出す。エレベータ１は、乗場入力操作部９の乗りかご３を呼び出すための入力操作結果に応じて乗りかご３を呼出階に移動させて停止させ、その停止階で一定の開放時間だけドア２を開放する。清掃者は、乗りかご３に乗り込み、かご入力操作部８に対して特定の入力操作、すなわち乗りかご３の停止階と同じ階の階床ボタン１１を所定時間（例えば３秒）以上押下する入力操作を行う。エレベータ１は、かご入力操作部８の特定の入力操作結果に基づいて、かご入力操作部８の乗りかご３を移動させるための入力操作結果を無効にし、開放時間を一定時間（例えば３分）延長する。清掃者は、その間に乗りかご３内の清掃、特に、ドアシル溝、乗りかご３の床及びかご入力操作部８を清掃する。このとき、ドア２が開放しているため、清掃者は清掃スペースを十分にとることができ、さらに、かご入力操作部８の入力操作の受け付けが無効になっているため、かご入力操作部８を清掃しても行先階は登録されず、無駄な行先階登録を防止することができる。
【００３３】
このように本実施の形態によれば、かご入力操作部８の特定の入力操作結果に基づいて、ドア２の開放時間を一定時間延長し、さらに、かご入力操作部８の乗りかご３を移動させるための入力操作結果を一定時間無効にすることで、ドア２は延長した開放時間だけ開放され、その間かご入力操作部８の入力操作の受け付けが無効になる。これにより、清掃者がかご入力操作部８を清掃しても行先階は登録されず、無駄な行先階登録を防止することが可能になるので、清掃後の乗りかご３の無駄な停止がなくなり、利用者の利便性の向上を実現することができる。また、清掃者は、複数の階床ボタン１１を押下しないように注意して清掃する必要がなくなり、清掃布等により力を入れて階床ボタン１１を拭くことが可能になるので、階床ボタン１１の汚れを取り除くことが容易になる。したがって、清掃者の利便性及び清掃効率の向上を実現することができる。
【００３４】
また、清掃者は簡単な操作で乗りかご３のドア２の開放時間を延長することが可能になり、さらに、スイッチボックス１８の蓋２０を開ける必要がなくなるので、清掃者の利便性及び清掃効率の向上を実現することができる。
【００３５】
さらに、特定の入力操作を知らない通常の利用者がドア２の開放時間を延長することを防止することが可能になるので、ドア２の開放延長を希望しない利用者がドア２の開放時間が経過するまで待つことがなくなり、利用者の利便性の向上を実現することができる。
【００３６】
加えて、ドア２の開放時間が延長されている状態でも、乗場入力操作部９の入力操作結果があった場合、すなわち乗場入力操作部９からの入力信号があった場合には、ドア２を閉じて通常運転処理に戻るので、清掃のために各階の乗場の利用者を待たせることがなくなり、利用者の利便性の向上を実現することができる。
【００３７】
なお、本実施の形態では、例えば、乗りかご３のドア２付近に設けられたセンサ等により清掃者や利用者等を検知してドア２を開放することで、ドア２が清掃者や利用者等を挟むことを防止している。
【００３８】
＜第２の実施の形態＞
本発明の第２の実施の形態について図５及び図６を参照して説明する。本実施の形態は、エレベータ制御装置をエレベータに適用した一適用例である。
【００３９】
本実施の形態のエレベータ１は、第１の実施の形態のエレベータ１と基本的に同じ構成であり、ここでは、それらの相違点について説明する。なお、第１の実施の形態で説明した部分と同一部分は同一符号で示し、その説明も省略する。
【００４０】
図５に示すように、乗場入力操作部９には、乗りかご３が清掃中であることを報知する乗場報知装置４１が設けられている。この乗場報知装置４１は上ボタン３１と下ボタン３２との間に位置付けられている。乗場報知装置４１としては、例えば表示装置が用いられている。この表示装置は、例えば白熱ランプやＬＥＤ等による文字発光を行う装置であり、例えば清掃中という文字を表示することで各階の乗場の利用者に乗りかご３が清掃中であることを報知する。
【００４１】
このような構成において、制御部６のＣＰＵがＲＯＭに格納されたプログラムに基づいて実行する清掃用のドア開放処理について説明する。
【００４２】
図６に示すように、ＣＰＵは通常運転処理を行っている（ステップＳ１１）。通常運転処理では、ＣＰＵは、各階の乗場入力操作部９又はかご入力操作部８の入力操作結果に基づいて、乗りかご３の移動を制御し（移動制御手段又は移動制御ステップ）、乗りかご３の停止階でドア２を一定の開放時間（例えば３秒）だけ開放する（開放手段又は開放ステップ）。この通常運転処理は第１の実施の形態と同様である。
【００４３】
次いで、ＣＰＵは、かご入力操作部８の開放時間を延長するための特定の入力操作結果に基づいて（ステップＳ１２）、かご入力操作部８の乗りかご３を移動させるための入力操作結果を無効にし（ステップＳ１３：無効手段又は無効ステップ）、ドア２の開放時間を延長し（ステップＳ１４：延長手段又は延長ステップ）、各階の乗場の利用者に乗りかご３が清掃中であることを報知し（ステップＳ１５：報知手段又は報知ステップ）、さらに、各階の乗場入力操作部９の乗りかご３を呼び出すための入力操作結果を無効にする（ステップＳ１６：無効手段又は無効ステップ）。ここで、例えば、特定の入力操作結果は、乗りかご３の停止階と同じ階の階床ボタン１１を所定時間（例えば３秒）以上押下したことである。
【００４４】
詳述すると、ＣＰＵは、乗りかご３の停止階でその停止階と同じ階の階床ボタン１１が操作者（例えば清掃者）によって所定時間（例えば３秒）以上押下されたか否かを判断する（ステップＳ１２）。ＣＰＵは、乗りかご３の停止階と同じ階の階床ボタン１１が操作者によって所定時間以上押下されなかったと判断した場合には（ステップＳ１２のＮＯ）、処理をステップＳ１１に戻す。一方、ＣＰＵは、乗りかご３の停止階と同じ階の階床ボタン１１が操作者によって所定時間以上押下されたと判断した場合には（ステップＳ１２のＹＥＳ）、かご入力操作部８の乗りかご３を移動させるための入力操作結果を無効、すなわち、かご入力操作部８からの入力信号を無効にし（ステップＳ１３）、ドア２の開放時間を一定時間（例えば３分）延長する（ステップＳ１４）。さらに、ＣＰＵは、各階の乗場報知装置４１に清掃中の表示を点灯させ（ステップＳ１５）、各階の乗場入力操作部９の乗りかご３を呼び出すための入力操作結果を無効にし、すなわち乗場入力操作部９からの入力信号を無効にする（ステップＳ１６）。
【００４５】
次に、ＣＰＵは、延長した開放時間の経過に基づいて（ステップＳ１７）、開放時間の延長を解除し（ステップＳ１８：延長解除手段又は延長解除ステップ）、かご入力操作部８の乗りかご３を移動させるための入力操作結果の無効を解除し（ステップＳ１９：無効解除手段又は無効解除ステップ）、各階の乗場での清掃中の報知を解除し（ステップＳ２０）、さらに、各階の乗場入力操作部９の乗りかご３を呼び出すための入力操作結果の無効を解除する（ステップＳ２１）。
【００４６】
詳述すると、ＣＰＵは、延長した開放時間（例えば３分）が経過したか否かを判断し（ステップＳ１７）、延長した開放時間の経過に待機する（ステップＳ１７のＮＯ）。このとき、開放時間の経過は制御部６の制御タイマ７により計測される。その後、ＣＰＵは、延長した開放時間が経過したと判断した場合には（ステップＳ１７のＹＥＳ）、ドア２の開放時間の延長を解除、すなわちドア２を閉じ（ステップＳ１８）、かご入力操作部８の乗りかご３を移動させるための入力操作結果の無効を解除、すなわち、かご入力操作部８からの入力信号を有効にする（ステップＳ１９）。さらに、ＣＰＵは、各階の乗場での清掃中の報知を解除、すなわち各階の乗場報知装置４１に清掃中の表示を消灯させ（ステップＳ２０）、各階の乗場入力操作部９の乗りかご３を呼び出すための入力操作結果の無効を解除、すなわち乗場入力操作部９からの入力信号を有効にし（ステップＳ２１）、処理をステップＳ１１に戻す。
【００４７】
ここで、清掃者は、希望階で乗場入力操作部９を入力操作して乗りかご３を呼び出す。エレベータ１は、乗場入力操作部９の乗りかご３を呼び出すための入力操作結果に応じて乗りかご３を呼出階に移動させて停止させ、その停止階で一定の開放時間だけドア２を開放する。清掃者は、乗りかご３に乗り込み、かご入力操作部８に対して特定の入力操作、すなわち乗りかご３の停止階と同じ階の階床ボタン１１を所定時間（例えば３秒）以上押下する入力操作を行う。エレベータ１は、かご入力操作部８の特定の入力操作結果に基づいて、かご入力操作部８の乗りかご３を移動させるための入力操作結果を無効にし、開放時間を一定時間（例えば３分）延長し、さらに、乗場報知装置４１により乗りかご３が清掃中であることを報知する。清掃者は、その間に乗りかご３内の清掃、特に、ドアシル溝、乗りかご３の床及びかご入力操作部８を清掃する。このとき、ドア２が開放しているため、清掃者は清掃スペースを十分にとることができ、さらに、かご入力操作部８の入力操作の受け付けが無効になっているため、かご入力操作部８を清掃しても行先階は登録されず、無駄な行先階登録を防止することができる。加えて、各階の乗場の利用者は乗りかご３が清掃中であることを知ることができる。
【００４８】
このように本実施の形態によれば、かご入力操作部８の特定の入力操作結果に基づいて、ドア２の開放時間を一定時間延長し、さらに、かご入力操作部８の乗りかご３を移動させるための入力操作結果を一定時間無効にすることで、第１の実施の形態と同じ効果を得ることができる。
【００４９】
さらに、各階の乗場報知装置４１により乗りかご３が清掃中であることを報知することで、各階の乗場の利用者は乗りかご３が清掃中であることを認識することが可能になるので、利用者の利便性の向上を実現することができる。
【００５０】
また、ドア２の開放時間が延長されている状態でも、乗場入力操作部９の入力操作結果があった場合、すなわち乗場入力操作部９からの入力信号があった場合には、乗りかご３のドア２が閉じることはなくなるので、清掃者の安全性を向上させることができる。
【００５１】
＜他の実施の形態＞
なお、第１及び第２の実施の形態においては、特定の入力操作結果は、乗りかご３の停止階と同じ階の階床ボタン１１を所定時間（例えば３秒）以上押下したことであるが、これに限るものではなく、例えば、開ボタン１２と閉ボタン１３とを同時に押下したことであっても良い。この場合には、図４又は図６に示すように、ステップＳ２又はステップＳ１２で開ボタン１２と閉ボタン１３とが同時に押下されたか否かを判断する。その後の処理は同じである。
【００５２】
また、第１及び第２の実施の形態においては、かご入力操作部８の乗りかご３を移動させるための入力操作結果を無効にしてから（ステップＳ３又はステップＳ１３）、ドア２の開放時間を延長しているが（ステップＳ４又はステップＳ１４）、これに限るものではなく、例えばその順序を逆にしてもよい。同様に、ステップＳ７及びステップＳ８の順序を逆にしてもよい。また、ステップＳ１３、ステップＳ１４、ステップＳ１５及びステップＳ１６の順番を換えてもよく、同様に、ステップＳ１８、ステップＳ１９、ステップＳ２０及びステップＳ２１の順番を換えてもよい。
【００５３】
また、第１の実施の形態においては、各階の乗場入力操作部９の入力操作結果又は延長した開放時間の経過に基づいて（ステップＳ５又はステップＳ６）、開放時間の延長を解除し（ステップＳ７）、かご入力操作部８の入力操作結果の無効を解除しているが（ステップＳ８）、これに限るものではなく、例えば、かご入力操作部８の特定の入力操作結果に基づいて、開放時間の延長を解除し、かご入力操作部８の入力操作結果の無効を解除してもよい。この場合には、清掃者は、清掃終了後に再びかご入力操作部８に対して特定の入力操作を行って、ドア２の開放時間の延長及びかご入力操作部８の入力操作結果の無効を解除することになる。
【００５４】
また、第２の実施の形態においては、乗場報知装置４１として表示装置を用いているが、これに限るものではなく、例えば、スピーカ等の音声出力装置を用いてもよい。この場合には、音声出力装置に音声を出力させることで、各階の乗場の利用者に乗りかご３が清掃中であることを報知する。
【００５５】
また、第２の実施の形態においては、各階の乗場入力操作部９の乗場報知装置４１に清掃中の表示を点灯させることで、各階の乗場の利用者に乗りかご３が清掃中であることを報知しているが、これに限るものではなく、例えば、図７に示すように、かご入力操作部８のかご表示装置１７に清掃中の表示を点灯させることで、清掃者に乗りかご３が清掃中であることを報知してもよい。この場合には、かご表示装置１７は、乗りかご３が清掃中であることを報知するかご報知装置として機能する。また、例えば、図８に示すように、乗りかご３の停止階と同じ階の階床ボタン１１を点滅させることで、清掃者に乗りかご３が清掃中であることを報知してもよい。これらにより、清掃者はエレベータ１が清掃用のドア開放延長状態であることを確認することが可能になるので、清掃者の利便性の向上を実現することができる。
【図面の簡単な説明】
【００５６】
【図１】本発明の第１の実施の形態に係るエレベータの構成を概略的に示すブロック図である。
【図２】図１に示すエレベータが備えるかご入力操作部の一例を概略的に示す正面図である。
【図３】図１に示すエレベータが備える乗場入力操作部の一例を概略的に示す正面図である。
【図４】図１に示すエレベータにおけるドア開放処理の流れを示すフローチャートである。
【図５】本発明の第２の実施の形態に係るエレベータが備える乗場入力操作部の一例を概略的に示す正面図である。
【図６】図５に示すエレベータにおけるドア開放処理の流れを示すフローチャートである。
【図７】図５に示すエレベータが備えるかご入力操作部による一報知例を概略的に示す正面図である。
【図８】図５に示すエレベータが備えるかご入力操作部による一報知例を概略的に示す正面図である。
【符号の説明】
【００５７】
１        エレベータ
２        ドア
３        乗りかご
６        制御部（移動制御手段、開放手段、延長手段、無効手段、延長解除手段、無効解除手段、報知手段）
８        かご入力操作部
９        乗場入力操作部
１１      階床ボタン
１２      開ボタン
１３      閉ボタン
１７      かご報知装置（かご表示装置）
４１      乗場報知装置
【図１】
2006256757.tif 000003
【図２】
2006256757.tif 000004
【図３】
2006256757.tif 000005
【図４】
2006256757.tif 000006
【図５】
2006256757.tif 000007
【図６】
2006256757.tif 000008
【図７】
2006256757.tif 000009
【図８】
2006256757.tif 000010